(57)【要約】【課題】貯湯タンクに蓄熱されている中温の湯水の熱を有効利用する制御を新たに見出し、当該制御を実行することにより、ガス燃焼加熱機器のガス消費量を低減して、効率向上を図る。【解決手段】第２循環路Ｃ２と第３循環路Ｃ３を切り換えることで、貯湯タンク３０の湯水もしくはガス燃焼加熱機器４１で加熱された湯水により、第２熱交換器Ｈ２を加熱する制御部５０を備え、制御部５０は、第２熱交換器Ｈ２による温水端末４３の加熱を停止してから所定時間以上経過した状態から加熱を開始する時に、給湯利用箇所４０に湯水が供給されていない状態で、且つ貯湯タンク３０の湯水の温度が第１所定温度以上の場合に、第２循環路Ｃ２の湯水の循環により、第２熱交換器Ｈ２を加熱する予備加熱運転を実行する。【選択図】図１
2019027736.tif 000002
【特許請求の範囲】
【請求項１】
給湯利用箇所に供給する湯水を貯湯する貯湯タンクと、
非ガス燃焼加熱機器により湯水を加熱する第１熱交換器と、前記貯湯タンクと前記第１熱交換器とを湯水が循環する第１循環路と、
温水端末に熱媒で熱を供給する第２熱交換器と、前記貯湯タンクと前記第２熱交換器とを湯水が循環する第２循環路と、
ガス燃焼加熱機器により湯水を加熱する第３熱交換器と、前記第２熱交換器と前記第３熱交換器とを湯水が循環する第３循環路を備えた貯湯式熱源装置であって、
前記第２循環路と前記第３循環路を切り換えることで、前記貯湯タンクの湯水もしくは前記ガス燃焼加熱機器で加熱された湯水により、前記第２熱交換器を加熱する制御部を備え、
前記制御部は、前記第２熱交換器による前記温水端末の加熱を停止してから所定時間以上経過した状態から加熱を開始する時に、給湯利用箇所に湯水が供給されていない状態で、且つ前記貯湯タンクの湯水の温度が第１所定温度以上の場合に、前記第２循環路の湯水の循環により、前記第２熱交換器を加熱する予備加熱運転を実行する貯湯式熱源装置。
【請求項２】
前記制御部は、前記第２循環路の湯水の循環により前記第２熱交換器を加熱しており、且つ前記貯湯タンクの湯水の温度が前記第１所定温度よりも低い第２所定温度未満の場合に、前記ガス燃焼加熱機器により前記第３熱交換器を加熱すると共に、前記第２循環路を前記第３循環路に切り換えて前記第２熱交換器を加熱して、前記予備加熱運転から加熱運転へ切り換える請求項１に記載の貯湯式熱源装置。
【請求項３】
前記非ガス燃焼加熱機器は、コージェネレーション装置、ヒートポンプ装置、太陽熱温水装置の少なくとも１つ以上で構成されていると共に、前記温水端末は、浴室暖房乾燥機、デシカント空調機の少なくとも１つ以上で構成されている、請求項１又は２に記載の貯湯式熱源装置。
【発明の詳細な説明】
【技術分野】
【０００１】
本発明は、給湯利用箇所に供給する湯水を貯湯する貯湯タンクと、非ガス燃焼加熱機器により湯水を加熱する第１熱交換器と、前記貯湯タンクと前記第１熱交換器とを湯水が循環する第１循環路と、温水端末に熱媒で熱を供給する第２熱交換器と、前記貯湯タンクと前記第２熱交換器とを湯水が循環する第２循環路と、ガス燃焼加熱機器により湯水を加熱する第３熱交換器と、前記第２熱交換器と前記第３熱交換器とを湯水が循環する第３循環路を備えた貯湯式熱源装置に関する。
【背景技術】
【０００２】
従来、貯湯式熱源装置として、給湯利用箇所に供給する湯水を貯湯する貯湯タンクと、非ガス燃焼加熱機器により湯水を加熱する第１熱交換器と、貯湯タンクと第１熱交換器とを湯水が循環する第１循環路と、温水端末に熱媒で熱を供給する第２熱交換器と、貯湯タンクと第２熱交換器とを湯水が循環する第２循環路と、ガス燃焼加熱機器により湯水を加熱する第３熱交換器と、第２熱交換器と第３熱交換器とを湯水が循環する第３循環路を備えたものが知られている（特許文献１を参照）。
特許文献１に開示の貯湯式熱源装置では、非ガス燃焼加熱機器として燃料電池が備えられる例が示されており、このような構成においては、第１循環路における貯湯タンクから燃料電池へ導かれる湯水温度が所定温度（例えば、排ガスの露点である４０℃）以下となるように、第１循環路における貯湯タンクから燃料電池へ湯水を通流する循環路部位に放熱用のラジエータを備える構成が採用されている。
【先行技術文献】
【特許文献】
【０００３】
【特許文献１】特開２０１５−７５３２１号公報
【発明の概要】
【発明が解決しようとする課題】
【０００４】
特許文献１の従来の貯湯式熱源装置では、貯湯タンクに蓄熱されている湯水の温度が６０℃程度であるため、必要とされる湯水の温度が４０℃と低い床暖房等の温水端末には利用されていたが、必要とされる湯水の温度が８０℃と高い浴室暖房乾燥機等の温水端末には利用されていなかった。よって、貯湯タンクの湯水の温度（貯湯タンクの吐出湯水温度）が上昇しても、床暖房や給湯に利用されない場合は、ラジエータ等で放熱していた。
【０００５】
本発明は、上述の課題に鑑みてなされたものであり、その目的は、貯湯タンクに蓄熱されている中温の湯水の熱を有効利用する制御を新たに見出し、当該制御を実行することにより、ガス燃焼加熱機器のガス消費量を低減して、効率向上を図り得る貯湯式熱源装置を提供する点にある。
【課題を解決するための手段】
【０００６】
上記目的を達成するための貯湯式熱源装置は、
給湯利用箇所に供給する湯水を貯湯する貯湯タンクと、
非ガス燃焼加熱機器により湯水を加熱する第１熱交換器と、前記貯湯タンクと前記第１熱交換器とを湯水が循環する第１循環路と、
温水端末に熱媒で熱を供給する第２熱交換器と、前記貯湯タンクと前記第２熱交換器とを湯水が循環する第２循環路と、
ガス燃焼加熱機器により湯水を加熱する第３熱交換器と、前記第２熱交換器と前記第３熱交換器とを湯水が循環する第３循環路を備えた貯湯式熱源装置であって、その特徴構成は、
前記第２循環路と前記第３循環路を切り換えることで、前記貯湯タンクの湯水もしくは前記ガス燃焼加熱機器で加熱された湯水により、前記第２熱交換器を加熱する制御部を備え、
前記制御部は、前記第２熱交換器による前記温水端末の加熱を停止してから所定時間以上経過した状態から加熱を開始する時に、給湯利用箇所に湯水が供給されていない状態で、且つ前記貯湯タンクの湯水の温度が第１所定温度以上の場合に、前記第２循環路の湯水の循環により、前記第２熱交換器を加熱する予備加熱運転を実行する点にある。
【０００７】
上記特徴構成によれば、第２熱交換器による温水端末の加熱を停止してから所定時間（例えば、３時間）以上経過した状態から加熱を開始するときで、給湯利用箇所に湯水が供給されていない状態では、貯湯式熱源装置内部、接続配管、温水端末（例えば、浴室暖房乾燥機）、及び浴室内の温度が低い。
そこで、制御部は、第２熱交換器による温水端末の加熱を停止してから所定時間（例えば、３時間）以上経過した状態から加熱を開始するときで、給湯利用箇所に湯水が供給されていない状態で、且つ貯湯タンクの湯水の温度が第１所定温度(例えば、５０℃)以上の場合に、第２循環路の湯水の循環により、貯湯タンクに貯留される湯水を用いて、第２熱交換器を加熱する予備加熱運転を実行する。
これにより、例えば、温水端末として浴室暖房乾燥機を用いる場合、浴室内を３５℃程度に加熱するまでの間は、貯湯タンクに蓄熱されている中温の湯水の熱を利用することができる。結果、ラジエータからの放熱量を低減して、ガス燃焼加熱機器のガス消費量を削減して、効率向上を図ることができる。
尚、本発明において、貯湯タンクの湯水の温度とは、貯湯タンクから吐出される吐出湯水温度を意味するものとする。
【０００８】
貯湯式熱源装置の更なる特徴構成は、
前記制御部は、前記第２循環路の湯水の循環により前記第２熱交換器を加熱しており、且つ前記貯湯タンクの湯水の温度が前記第１所定温度よりも低い第２所定温度未満の場合に、前記ガス燃焼加熱機器により前記第３熱交換器を加熱すると共に、前記第２循環路を前記第３循環路に切り換えて前記第２熱交換器を加熱して、前記予備加熱運転から加熱運転へ切り換える点にある。
【０００９】
上記特徴構成によれば、予備加熱運転により、貯湯タンクに蓄熱している熱を使用し、貯湯タンクに貯湯されている湯水の温度が、貯湯式熱源装置内部、接続配管、浴室暖房乾燥機（温水端末の一例）、及び浴室の内部を予熱可能な第２所定温度（例えば、４５℃）未満となった場合には、ガス燃焼加熱機器を作動させる加熱運転へ移行することで、低い湯水による効率の悪い予備加熱運転が実行されることを抑制することができる。
【００１０】
これまで説明してきた貯湯式熱源装置にあっては、
前記非ガス燃焼加熱機器は、コージェネレーション装置、ヒートポンプ装置、太陽熱温水装置の少なくとも１つ以上で構成されていると共に、前記温水端末は、浴室暖房乾燥機、デシカント空調機の少なくとも１つ以上で構成されていることが好ましい。
【図面の簡単な説明】
【００１１】
【図１】実施形態に係る貯湯式熱源装置の概略構成図
【図２】予熱加熱運転及び浴室暖房乾燥運転（加熱運転）の制御フロー
【図３】予熱加熱運転及び浴室暖房乾燥運転（加熱運転）の実施例に係るグラフ図
【図４】予熱加熱運転及び浴室暖房乾燥運転（加熱運転）の実施例に係るグラフ図
【発明を実施するための形態】
【００１２】
本発明の実施形態に係る貯湯式熱源装置１００を、図１、２に基づいて説明する。
貯湯式熱源装置１００は、図１に示すように、給湯利用箇所４０（例えば給湯栓）に供給する湯水を貯湯する貯湯タンク３０と、燃料電池１０（非ガス燃焼加熱機器の一例）により湯水を加熱する第１熱交換器Ｈ１と、貯湯タンク３０と第１熱交換器Ｈ１とを湯水が循環する第１循環路Ｃ１と、浴室暖房乾燥機４３（温水端末の一例）に熱媒で熱を供給する第２熱交換器Ｈ２と、貯湯タンク３０と第２熱交換器Ｈ２とを湯水が循環する第２循環路Ｃ２と、バーナ式の燃焼装置４１（ガス燃焼加熱機器の一例）により湯水を加熱する第３熱交換器Ｈ３と第２熱交換器Ｈ２とを湯水が循環する第３循環路Ｃ３を備えている。
【００１３】
貯湯タンク３０は、例えば、内部に湯水を貯留可能で、断熱性能を有する密閉型のタンクにて構成されており、内部の湯水は、上方から下方にかけて高温から低温となる温度成層を形成するように構成されている。
バーナ式の燃焼装置４１は、例えば、ガス燃料等を燃焼させて熱を発生させ、当該熱により第３熱交換器Ｈ３にて湯水を加熱するように構成されている。
【００１４】
更に、第４熱交換器Ｈ４と追焚負荷としての浴槽４２との間で熱媒（浴槽水）を循環自在な第１熱媒循環路Ｃ５が設けられていると共に、当該第１熱媒循環路Ｃ５に熱媒を圧送する第３循環ポンプＰ３が設けられている。これにより、第１熱媒循環路Ｃ５は、第４熱交換器Ｈ４と浴槽４２との間で、熱媒を循環可能に構成されている。
第２熱交換器Ｈ２と浴室暖房乾燥機４３との間で熱媒を循環可能な第２熱媒循環路Ｃ６が設けられると共に、当該第２熱媒循環路Ｃ６には、熱媒を貯留自在な熱媒タンク４４、第２熱媒循環路Ｃ６で熱媒を圧送して循環する第４循環ポンプＰ４が設けられている。これにより、第２熱媒循環路Ｃ６は、第４循環ポンプＰ４で圧送された熱媒を第２熱交換器Ｈ２と浴室暖房乾燥機４３との間で、循環可能に構成されている。
【００１５】
貯湯式熱源装置１００は、これまで説明した第１熱交換器Ｈ１〜第４熱交換器Ｈ４に湯水を循環させる第１循環路Ｃ１〜第３循環路Ｃ３、及び第３流路Ｌ３〜第５流路Ｌ５が備えられている。
【００１６】
第１循環路Ｃ１は、貯湯タンク３０と燃料電池１０の第１熱交換器Ｈ１との間で湯水を循環する循環路であり、その上流端が貯湯タンク３０の下部に接続されると共にその下流端が貯湯タンク３０の上部に接続されており、当該第１循環路Ｃ１の湯水を圧送する第１循環ポンプＰ１を第１熱交換器Ｈ１の上流側に備えている。尚、図示は、省略するが、第１熱交換器Ｈ１の上流側の湯水の入口には、湯水の熱を放熱するラジエータが設けられている。
【００１７】
第２循環路Ｃ２は、第２熱交換器Ｈ２と貯湯タンク３０との間で湯水を循環する循環路であり、その上流端が貯湯タンク３０の上部に接続されると共にその下流端が貯湯タンク３０の下部に接続されており、当該第２循環路Ｃ２で開度調整自在な第１比例弁Ｖ１、当該第２循環路Ｃ２の湯水を圧送する第２循環ポンプＰ２が湯水の流れ方向で記載の順に設けられている。当該第２循環路Ｃ２は、第２熱交換器Ｈ２に湯水を通流する浴室暖房乾燥用第２循環路Ｃ２ａと、第４熱交換器Ｈ４に湯水を通流する追焚用第２循環路Ｃ２ｂとを含み、浴室暖房乾燥用第２循環路Ｃ２ａと追焚用第２循環路Ｃ２ｂとは上流側分岐部Ｂ及び下流側合流部Ｇにて接続されることで、第２熱交換器Ｈ２と第４熱交換器Ｈ４とが併設状態で設けられる。浴室暖房乾燥用第２循環路Ｃ２ａには第３開閉弁Ｖ３が、追焚用第２循環路Ｃ２ｂには第４開閉弁Ｖ４が設けられ、夫々の開閉状態を切り換えることにより、第２熱交換器Ｈ２と第４熱交換器Ｈ４との何れに湯水を分配するかを切り替え自在となっている。尚、第２熱交換器Ｈ２と第４熱交換器Ｈ４との双方に湯水を供給することも可能となっている。
また、第２循環路Ｃ２には、貯湯タンク３０の上部と第２熱交換器Ｈ２（より詳しくは、上流側分岐部Ｂ）との間の流路部位に、バーナ式の燃焼装置４１にて加熱される第３熱交換器Ｈ３が設けられており、第２循環路Ｃ２の貯湯タンク３０の下部の近傍の流路部位には、上水を所定の給水圧力にて供給する給水路が、第２三方弁Ｓ２を介して接続されている。
【００１８】
第２循環路Ｃ２の第３熱交換器Ｈ３と第２熱交換器Ｈ２（より詳しくは、上流側分岐部Ｂ）との間の流路部位には、給湯利用箇所４０への湯水を通流する第５流路Ｌ５が接続されると共に、当該第５流路Ｌ５には、第２比例弁Ｖ２が設けられている。これにより、給湯利用箇所４０としての給湯栓が開栓された場合、給水路から供給される上水の圧力により、貯湯タンク３０の上部に貯留された湯水を、第１比例弁Ｖ１、第３熱交換器Ｈ３、及び第２比例弁Ｖ２を介して、第２循環路Ｃ２の一部と第５流路Ｌ５を通流して給湯利用箇所４０へ導く水路を形成する。
尚、第２循環路Ｃ２には、貯湯タンク３０の上部から送出された湯水を、第１比例弁Ｖ１、第３熱交換器Ｈ３、及び第２比例弁Ｖ２をバイパスして第５流路Ｌ５へ導く第３流路Ｌ３が設けられている。
【００１９】
第２循環路Ｃ２において、第１比例弁Ｖ１と第２循環ポンプＰ２との間の流路部位と、第２熱交換器Ｈ２と第２三方弁Ｓ２の間の流路部位（換言すると、第４熱交換器Ｈ４と第２三方弁Ｓ２の間の流路部位）とを接続する第４流路Ｌ４が備えられ、当該第４流路Ｌ４には第５比例弁Ｖ５が設けられている。これにより、第１比例弁Ｖ１及び第２比例弁Ｖ２を閉状態とし、第５比例弁Ｖ５を開状態とすることで、第２循環路Ｃ２の一部と第４流路Ｌ４とにより、貯湯タンク３０をバイパスする状態で、第３熱交換器Ｈ３と第２熱交換器Ｈ２もしくは第４熱交換器Ｈ４とに湯水を循環する第３循環路Ｃ３が形成される。
【００２０】
当該貯湯式熱源装置１００の運転を制御するコンピュータを備えた制御装置５０（制御部の一例）が設けられており、当該制御装置５０は、運転を指令する人為操作式の貯湯式熱源装置用リモコン（図示省略）との間で各種の情報を通信可能に構成されている。当該リモコンは、例えば、台所や浴室等に設けられており、給湯設定温度等を設定可能であると共に、各種スイッチのＯＮ操作により各種運転の運転要求を要求可能に構成されている。また、制御装置５０は、浴室暖房乾燥機４３の運転を指令する人為操作式の浴室暖房乾燥用リモコン、浴槽４２の追焚運転等を指令する人為操作式の風呂リモコンとの間で各種の情報を通信可能に構成されている。
【００２１】
制御装置５０は、リモコンの運転スイッチがＯＮ操作されると制御可能な状態となり、給湯利用箇所４０としての給湯栓が開栓操作されると、給湯利用箇所４０に給湯する給湯運転を実行する。
また、制御装置５０は、例えば、貯湯タンク３０の蓄熱量が設定量以下になる、或いは、給湯利用箇所４０へ給湯する給湯時間帯や浴室暖房乾燥機４３での熱負荷が発生する熱負荷時間帯よりも前の蓄熱時間帯になる等の蓄熱条件が満たされると、蓄熱運転の運転要求があったとして、貯湯タンク３０へ蓄熱する蓄熱運転を実行する。さらに、制御装置５０は、浴室暖房乾燥用リモコンの浴室暖房乾燥運転スイッチがＯＮ操作されて浴室暖房乾燥機４３から運転要求が要求されると浴室暖房乾燥運転（加熱運転の一例）を実行し、風呂リモコンの追焚スイッチがＯＮ操作されて追焚要求が要求されると追焚運転を実行する。
以下、各運転について説明する。
【００２２】
（蓄熱運転）
当該蓄熱運転では、制御装置５０は、貯湯タンク３０の下部の湯水を第１循環路Ｃ１に通流させ、湯水を燃料電池１０の第１熱交換器Ｈ１により加熱し、加熱された湯水を貯湯タンク３０の上部に戻す運転である。当該蓄熱運転では、第１循環ポンプＰ１を所定の回転速度で駆動させる。
【００２３】
（給湯運転）
給湯運転では、制御装置５０が、貯湯タンク３０に貯留された湯水を燃焼装置４１にて補助加熱することなく給湯利用箇所４０へ供給する非加熱給湯運転と、貯湯タンク３０に貯留された湯水を燃焼装置４１にて補助加熱をして給湯利用箇所４０へ供給する加熱給湯運転とに切り替え自在に構成されている。
制御装置５０は、貯湯タンク３０の上部に貯留される湯水の温度が給湯利用箇所４０にて要求されている給湯設定温度よりも所定温度だけ高い温度に設定された切り換え設定温度以上である場合、非加熱給湯運転に切り換え、貯湯タンク３０の上部に貯留される湯水の温度が切り換え設定温度未満である場合、加熱給湯運転に切り換える。ここで、図示を省略するが、貯湯タンク３０には、その上部における湯水の温度を検出する温度センサが設けられ、当該温度センサの検出温度を貯湯タンク３０の上部に貯留される湯水の温度としている。
【００２４】
非加熱給湯運転に切り換える場合には、制御装置５０が、第１比例弁Ｖ１及び第２比例弁Ｖ２を閉動作させ、上水の圧力により貯湯タンク３０の上部から取り出した湯水を、第３流路Ｌ３及び第５流路Ｌ５を介して給湯利用箇所４０へ供給する。この場合、貯湯タンク３０の上部に貯留される湯水の温度が給湯設定温度よりも高すぎる場合には、図示しない流路から上水が混合され、給湯設定温度に調整された湯水が給湯利用箇所４０から供給される。
【００２５】
加熱給湯運転に切り換える場合には、制御装置５０が、第１比例弁Ｖ１及び第２比例弁Ｖ２を開動作させ、第２循環ポンプＰ２を駆動し、燃焼装置４１を燃焼させることで、貯湯タンク３０の上部から取り出した湯水を、第２循環路Ｃ２の一部を通流させ、第３熱交換器Ｈ３にて加熱した後に給湯利用箇所４０へ供給する。
【００２６】
（浴室暖房乾燥運転）
浴室暖房乾燥運転（加熱運転の一例）は、比較的高温（例えば、８０℃程度）の湯水を第２熱交換器Ｈ２へ導く必要があることから、通常、貯湯タンク３０に蓄熱される湯水の熱が用いられることはなく、燃焼装置４１を働かせて第３熱交換器Ｈ３にて加熱された湯水の熱により実行される。
浴室暖房乾燥運転（加熱運転の一例）は、浴室暖房乾燥機４３の高温暖房負荷を賄うものであり、第３循環路Ｃ３に浴室暖房乾燥用第２循環路Ｃ２ａを介する状態で湯水を循環させ、第２熱交換器Ｈ２にて湯水の熱を消費するものである。当該浴室暖房乾燥運転では、第３開閉弁Ｖ３及び第５比例弁Ｖ５を開状態とし、第１比例弁Ｖ１及び第２比例弁Ｖ２及び第４開閉弁Ｖ４を閉状態とし、第２循環ポンプＰ２を所定の回転速度で駆動させる。
【００２７】
（追焚運転）
追焚運転では、第３循環路Ｃ３に追焚用第２循環路Ｃ２ｂを介する状態で湯水を循環させ、第４熱交換器Ｈ４にて湯水の熱を消費するものである。当該追焚運転では、制御装置５０が、第４開閉弁Ｖ４及び第５比例弁Ｖ５を開状態とし、第１比例弁Ｖ１及び第２比例弁Ｖ２及び第３開閉弁Ｖ３を閉状態とし、燃焼装置４１を第４熱交換器Ｈ４を出た後の湯水の温度が追焚負荷で要求される要求温度以上となるように働かせ、第２循環ポンプＰ２を所定の回転速度で駆動させる。
【００２８】
上述したように、従来の貯湯式熱源装置１００では、浴室暖房乾燥運転を実行する場合、比較的高温（例えば、８０℃程度）の湯水を第２熱交換器Ｈ２へ導く必要があることから、貯湯タンク３０に蓄熱される湯水の熱が用いられることはなく、効率改善の観点から改善の余地があった。
当該実施形態に係る貯湯式熱源装置１００にあっては、制御装置５０は、第２熱交換器Ｈ２による浴室暖房乾燥機４３の加熱を停止してから所定時間（例えば、３時間）以上経過した状態から加熱を開始する時に、給湯利用箇所４０に湯水が供給されていない状態で、且つ貯湯タンク３０の湯水の温度（貯湯タンク３０からの吐出湯水温度）が第１所定温度（例えば、５０℃）以上の場合に、第２循環路Ｃ２の湯水の循環により、第２熱交換器Ｈ２を加熱する予備加熱運転を実行する。
換言すると、当該予備加熱運転では、制御装置５０が、第１比例弁Ｖ１及び第３開閉弁Ｖ３を開状態とし、第２比例弁Ｖ２及び第４開閉弁Ｖ４及び第５比例弁Ｖ５を閉状態とし、第２循環ポンプＰ２を所定の回転速度で駆動させて、第２循環路Ｃ２に浴室暖房乾燥用第２循環路Ｃ２ａを介する状態で湯水を循環させる。
これにより、浴室暖房乾燥運転（加熱運転の一例）において、比較的温度の低い貯湯式熱源装置１００の内部、浴室暖房乾燥運転において湯水が循環する第３循環路Ｃ３の一部を含む第２循環路Ｃ２、浴室暖房乾燥機４３、及び浴室（図示せず）内を、貯湯タンク３０に貯湯される中温の湯水にて予熱することができ、貯湯タンク３０に貯湯される中温の湯水の熱をラジエータ（図示せず）にて放熱することなく有効利用でき、熱効率の向上を図ることができる。
【００２９】
予備加熱運転の後、制御装置５０は、第２循環路Ｃ２の湯水の循環により第２熱交換器Ｈ２を加熱しており、且つ貯湯タンク３０の湯水の温度が第１所定温度よりも低い第２所定温度（例えば、４５℃）未満の場合に、燃焼装置４１を働かせて第３熱交換器Ｈ３を加熱すると共に、第２循環路Ｃ２を第３循環路Ｃ３に切り換えて第２熱交換器Ｈ２を加熱して、予備加熱運転から浴室暖房乾燥運転（加熱運転の一例）へ切り換える。
【００３０】
（予備加熱運転を伴う浴室暖房乾燥運転）
次に、上述した予備加熱運転を伴う浴室暖房乾燥運転（加熱運転の一例）について、図２の制御フローに基づいて説明する。
制御装置５０は、浴室暖房乾燥機４３から加熱要求がＯＦＦからＯＮに変更されたとき（＃１１でＹｅｓ）には、以下に示す＃１２、１４、１５の判定を実行し、加熱要求がＯＦＦからＯＮに変更されないとき（＃１１でＮｏ）には、換言すると、加熱要求がＯＮからＯＦＦに変更されたとき、又はＯＮが維持されているとき、又はＯＦＦが維持されているときには、後述する＃１７の処理を実行する。
【００３１】
制御装置５０は、加熱要求がＯＦＦからＯＮに変更されたとき（＃１１でＹｅｓ）で、浴室暖房乾燥機４３（温水端末の一例）からの直前の加熱要求がＯＮからＯＦＦに変更されてから３時間以上経過しており（＃１２でＹｅｓ）、且つ給湯利用箇所４０に湯水が供給されておらず（＃１４でＹｅｓ）、且つ貯湯タンク３０の湯水の温度が５０℃以上である（＃１５でＹｅｓ）場合には、第２循環路Ｃ２への湯水の循環により、貯湯タンク３０に貯湯されている湯水を用いて第２熱交換器Ｈ２を加熱する予備加熱運転を実行する（＃１６）。
一方、制御装置５０は、加熱要求がＯＦＦからＯＮに変更されたとき（＃１１でＹｅｓ）で、浴室暖房乾燥機４３（温水端末の一例）からの直前の加熱要求がＯＮからＯＦＦに変更されてから３時間以上経過していない場合（＃１２でＮｏ）、又は給湯利用箇所４０に湯水が供給されている場合（＃１４でＮｏ）、又は貯湯タンク３０の湯水の温度が５０℃未満である場合（＃１５でＮｏ）には、予備加熱運転が必要ない又は予備加熱運転が実行できない状況であると判定し、第３循環路Ｃ３へ湯水を循環させ、燃焼装置４１を働かせて第３熱交換器Ｈ３にて湯水を加熱する浴室暖房乾燥運転を実行し（＃１３）、その後、後述する＃２１の判定を実行する。
【００３２】
＃１６のステップの後、又は＃１１のステップでＮｏの後、制御装置５０は、貯湯タンク３０の湯水を用いた加熱中であり（＃１７でＹｅｓ）、且つ給湯利用箇所４０に湯水が供給されているか貯湯タンク３０の湯水の温度が４５℃未満である場合（＃１８でＹｅｓ）、貯湯タンク３０の湯水での第２熱交換器Ｈ２の加熱を停止して予備加熱運転を停止し（＃１９）、湯水の循環を第２循環路Ｃ２から第３循環路Ｃ３へ切り換え、燃焼装置４１を働かせて第３熱交換器Ｈ３にて湯水を加熱する浴室暖房乾燥運転を実行する（＃２０）。
一方、＃１６のステップの後、又は＃１１のステップでＮｏの後、制御装置５０は、貯湯タンク３０の湯水を用いた加熱中でない（＃１７でＮｏ）、又は給湯利用箇所４０に湯水が供給されておらず、且つ貯湯タンク３０の湯水の温度が４５℃以上である場合（＃１８でＮｏ）、後述する＃２１の判定を実行する。
【００３３】
＃１３又は＃２０のステップの後、もしくは＃１７のステップ又は＃１８のステップでＮｏの後、制御装置５０は、浴室暖房乾燥機４３（温水端末の一例）からの加熱要求がＯＮからＯＦＦに変更されたとき（＃２１でＹｅｓ）には、浴室暖房乾燥機４３（温水端末の一例）の加熱を停止（＃２２）し、スタートに戻る。
一方、＃１３又は＃２０のステップの後、もしくは＃１７のステップ又は＃１８のステップでＮｏの後、制御装置５０は、浴室暖房乾燥機４３（温水端末の一例）からの加熱要求がＯＮからＯＦＦに変更されないとき（＃２１でＮｏ）、換言すると、加熱要求がＯＦＦからＯＮに変更されたとき、又はＯＮが維持されているとき、又はＯＦＦが維持されているときには、現状の制御状態を維持したまま、スタートに戻る。
【００３４】
〔実施例〕
上記予備加熱運転を伴う浴室暖房乾燥運転を実行した場合の実施例を、図３、４に示すグラフ図に基づいて説明する。
尚、図３のグラフ図では、第２熱媒循環路Ｃ６での浴室暖房乾燥機４３への熱媒入温度（暖房往き温度）、第２熱媒循環路Ｃ６での浴室暖房乾燥機４３からの熱媒出温度（暖房戻り温度）、第２熱媒循環路Ｃ６を通流する熱媒流量（暖房戻り流量）を、夫々２４時間計測して示している。
また、図４のグラフ図では、貯湯タンク３０において、鉛直方向で上方から、最高位（下方からの容積で９０Ｌ相当位置）での温度、高位（下方からの容積で６０Ｌ相当位置）での温度、中位（下方からの容積で３０Ｌ相当位置）での温度、低位（下方からの容積で０Ｌ相当位置）での温度を、夫々２４時間計測して示している。
【００３５】
図３、４で、時刻ｔ１は、浴室暖房乾燥運転スイッチがＯＮ操作され、浴室暖房乾燥機４３から加熱要求が要求された後に、上述した制御フローで示した＃１２、１４、１５の判定が実行された時刻である。
当該実施例では、＃１２、１４、１５の判定にてすべてＹｅｓの判定がなされ、時刻ｔ１から時刻ｔ２の間の時間帯で、予備加熱運転が実行されている。
当該時間帯では、約５０℃程度の暖房往き温度が維持されている。貯湯タンク３０の湯水の温度は、図４に示すように、時刻ｔ１以降、予備加熱運転の実行により、貯湯タンク３０の下方から暖房戻り温度より少し高い温度の湯水が流入するため、成層貯湯が崩れており、最高位温度、高位温度、中位温度、及び低位温度のすべてが、徐々に低下して４５℃程度となる。
時刻ｔ２で予備加熱運転から浴室暖房乾燥運転へ移行した後は、燃焼装置４１が働き、暖房往き温度は、燃焼装置４１のＯＮ／ＯＦＦデューティ比制御により、５０℃〜５５℃程度の温度となる。時刻ｔ３で、浴室暖房乾燥運転スイッチがＯＦＦ操作され、浴室暖房乾燥機４３から加熱要求が停止された後は、燃焼装置４１が停止され、浴室暖房乾燥運転が停止される。
尚、時刻ｔ３から時刻ｔ４までにおいて、燃料電池１０の運転による蓄熱運転により、貯湯タンク３０への蓄熱量が満タン貯湯に近い状態となっているが、時刻ｔ４において湯張り運転等により貯湯タンク３０に蓄熱された湯水が用いられる。
【００３６】
〔別実施形態〕
（１）上記実施形態にあっては、非ガス燃焼加熱機器は、コ−ジェネレーション装置としての燃料電池１０を例として説明した。
しかしながら、当該非ガス燃焼加熱機器は、コ−ジェネレーション装置としてのエンジンの他、ヒートポンプ装置、太陽熱温水装置を好適に採用することができ、それらを一つ以上組み合わせた構成を採用しても構わない。
【００３７】
（２）上記実施形態では、温水端末は、浴室暖房乾燥機４３である構成例を示した。しかしながら、温水端末は、加熱運転において、比較的高温（例えば、８０℃程度）の熱を必要とする温水端末を用いることで、本発明の効果を良好に発揮することができる。
具体的には、温水端末として、デシカント空調機を適用することができる。
また、温水端末としては、複数の機器を適用することもでき、例えば、浴室暖房乾燥機及びデシカント空調機の双方を採用することもできる。
【００３８】
（３）上記制御フローにおいて、予備加熱運転から浴室暖房乾燥運転（加熱運転の一例）への切り換えのトリガーは、＃１８で示すように、貯湯タンク３０の湯水の温度（貯湯タンク３０の吐出湯水温度）が４５℃未満となることである例を示した。
しかしながら、予備加熱運転から浴室暖房乾燥運転（加熱運転の一例）への切り換えのトリガーは、予備加熱運転の継続時間であっても構わない。
例えば、＃１８のステップは、制御装置５０が、予備加熱運転の継続時間が３０分以上である場合、予備加熱運転から浴室暖房乾燥運転に切り換える制御であっても構わない。
【００３９】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００４０】
本発明の貯湯式熱源装置は、貯湯タンクに蓄熱されている中温の湯水の熱を有効利用する制御を新たに見出し、当該制御を実行することにより、ガス燃焼加熱機器のガス消費量を低減して、効率向上を図り得る貯湯式熱源装置として、有効に利用可能である。
【符号の説明】
【００４１】
１０    ：燃料電池
３０    ：貯湯タンク
４０    ：給湯利用箇所
４１    ：燃焼装置
４３    ：浴室暖房乾燥機
５０    ：制御装置
１００  ：貯湯式熱源装置
Ｃ１    ：第１循環路
Ｃ２    ：第２循環路
Ｃ２ａ  ：浴室暖房乾燥用第２循環路
Ｃ２ｂ  ：追焚用第２循環路
Ｃ３    ：第３循環路
Ｈ１    ：第１熱交換器
Ｈ２    ：第２熱交換器
Ｈ３    ：第３熱交換器
【図１】
2019027736.tif 000003
【図２】
2019027736.tif 000004
【図３】
2019027736.tif 000005
【図４】
2019027736.tif 000006